(57)【要約】      （修正有）【課題】箱の蓋をロックするロック部材が振動等の大きな外力を受けてもロック部材がロックを外すことがない箱蓋ロック装置を提供する。【解決手段】箱本体の蓋１２Ｌ、１２Ｒの閉じ状態でこれらの蓋１２Ｌ、１２Ｒをロック位置とこのロック位置から外れて蓋を開閉することができる非ロック位置との間を枢動するように固定軸に枢支されたロック部材３０と、このロック部材３０を蓋１２Ｌ、１２Ｒに圧接するばね手段とを備え、ロック部材３０のロック位置でロック部材３０がいずれの回転方向にも回転することがないように保持する回転止め手段６０を更に備え、ロック部材３０は、回転止め手段６０に干渉することなく回転するために、固定軸に沿って軸線方向に摺動することができるように固定軸に保持されている。【選択図】図７
2019093824.tif 000002
【特許請求の範囲】
【請求項１】
箱本体と前記箱本体を開閉するように前記箱本体に枢支された蓋とから成る箱の前記蓋の閉じ状態で前記蓋をロック位置と前記ロック位置から外れて前記蓋を開閉することができる非ロック位置との間を枢動するように固定軸に枢支されたロック部材と、前記ロック部材を前記蓋に圧接するばね手段とを備えた箱蓋ロック装置において、前記ロック部材のロック位置で前記ロック部材がいずれの回転方向にも回転することがないように保持する回転止め手段を更に備え、前記ロック部材は、前記回転止め手段に干渉することなく回転するために、前記固定軸に沿って軸線方向に摺動することができるように前記固定軸に保持されていることを特徴とする箱蓋ロック装置。
【請求項２】
請求項１に記載の箱蓋ロック装置であって、前記回転止め手段は、前記ロック部材のロック位置で前記ロック部材の両側又は係止孔に係止して前記ロック部材がロック位置から外れるのを防止するように前記蓋に設けられたストッパー部材から成っている箱蓋ロック装置。
【請求項３】
請求項１に記載の箱蓋ロック装置であって、前記回転止め手段は、前記ロック部材のロック位置で前記蓋の蓋係止部に係止して前記ロック部材のいずれの方向にも回転することがないように前記ロック部材に設けられたストッパー部材から成っている箱蓋ロック装置。
【請求項４】
箱本体と前記箱本体を開閉するように前記箱本体に枢支された観音開き状の２つの蓋とから成る箱の前記２つの蓋の閉じ状態で前記蓋をロック位置と前記ロック位置から外れて前記蓋を開閉することができる非ロック位置との間を枢動するように固定軸に枢支された２つの一体のロック部を有するロック部材と、前記ロック部材のロック部を前記２つの蓋に圧接するばね手段とを備え、前記ロック部材のロック位置で前記ロック部材がいずれの回転方向にも回転することがないように保持する回転止め手段を更に備え、前記ロック部材は、前記回転止め手段に干渉することなく回転するために、前記固定軸に沿って軸線方向に摺動することができるように前記固定軸に保持されていることを特徴とする箱蓋ロック装置。
【請求項５】
請求項４に記載の箱蓋ロック装置であって、前記回転止め手段は、前記ロック部材のロック位置で前記ロック部材のロック部の両側又は係止孔に係止して前記ロック部材がロック位置から外れるのを防止するように前記蓋に設けられたストッパー部材から成っている箱蓋ロック装置。
【請求項６】
請求項４に記載の箱蓋ロック装置であって、前記回転止め手段は、前記ロック部材のロック位置で前記蓋の蓋係止部に係止して前記ロック部材のいずれの方向にも回転することがないように前記ロック部材に設けられたストッパー部材から成っている箱蓋ロック装置。
【発明の詳細な説明】
【技術分野】
【０００１】
本発明は、例えば、鉄道車両の床下に搭載される集塵機の如き比較的大きな振動の如き外力を受ける傾向がある種々の機器の箱蓋をロックする装置の改良に関するものである。
【背景技術】
【０００２】
鉄道車両に搭載される種々の機器は、内部を点検したり、修理したりするために、機器の箱に開閉蓋が設けられており、この蓋は、閉じられた状態でロックされるロック装置を備えている。
【０００３】
このロック装置には、種々の形態のものがあるが、その１つ形態のロック装置は、図１０に示すように、蓋Ｃから外れて蓋Ｃを開くことができる蓋開放（非ロック）位置と蓋Ｃの外面に係合して蓋Ｃをロックするロック位置との間を軸Ｘを中心に回転するように設けられたロック部材Ｌと、このロック部材Ｌをロック位置で蓋に圧接するばね手段Ｓとを備えている。
【０００４】
この装置は、ばね手段Ｓによってロック部材Ｌをロック位置に保持しているが、鉄道車両の運転時に発生するような大きな振動の如き外力を受けると、ばね手段Ｓのばね力に打ち勝ってロック部材Ｌがロック位置から非ロック位置に変位して不本意にロックが外れる虞があった。
【０００５】
また、従来技術のロック装置は、１つの蓋毎にそれぞれ独立しているため、例えば、２つの蓋が接近してあった場合、各蓋毎にロック装置が設けられ、これらのロック装置が相互に干渉しないように配置しなければならないので、構造が複雑である上に設計が面倒であった。
【発明の概要】
【発明が解決しようとする課題】
【０００６】
本発明が解決しようとする１つの課題は、外部から大きな外力を受けてもロック部材が不本意に変位することがない箱蓋ロック装置を提供することにある。
【０００７】
本発明が解決しようとする他の課題は、相互に接近して配置されている２つの蓋を１つの装置で同時にロックすることができる箱蓋ロック装置を提供することにある。
【課題を解決するための手段】
【０００８】
本発明の第１の課題解決手段は、箱本体と前記箱本体を開閉するように前記箱本体に枢支された蓋とから成る箱の前記蓋の閉じ状態で前記蓋をロックするロック位置と前記ロック位置から外れて前記蓋を開閉することができる非ロック位置との間を枢動するように固定軸に枢支されたロック部材と、前記ロック位置で前記ロック部材を前記蓋に圧接するばね手段とを備えた箱蓋ロック装置において、前記ロック部材のロック位置で前記ロック部材がいずれの回転方向にも回転することがないように保持する回転止め手段を更に備え、前記ロック部材は、前記回転止め手段に干渉することなく回転するために、前記固定軸に沿って軸線方向に摺動することができるように前記固定軸に保持されていることを特徴とする箱蓋ロック装置を提供することにある。
【０００９】
本発明の上記課題解決手段において、前記回転止め手段は、前記ロック部材のロック位置で前記ロック部材の両側又は係止孔に係止して前記ロック部材がロック位置から外れるのを防止するように前記蓋に設けられたストッパー部材から成っている形態とすることができる。
【００１０】
本発明の上記課題解決手段において、前記回転止め手段は、前記ロック部材のロック位置で前記蓋の蓋係止部に係止して前記ロック部材のいずれの方向にも回転することがないように前記ロック部材に設けられたストッパー部材から成っている形態とすることができる。
【００１１】
本発明の上記課題解決手段において、前記ストッパー部材が前記蓋に設けられている場合には、前記ロック部材が前記ストッパー部材を越えて回転することができるように、前記ロック部材は、前記固定軸に沿って軸線方向に摺動し、また前記ストッパー部材が前記ロック部材に設けられている場合には、前記ストッパー部材が前記蓋を越えて回転することができるように、前記ロック部材は軸線方向に摺動する。
【００１２】
本発明の第２の課題解決手段は、箱本体と前記箱本体を開閉するように前記箱本体に枢支された観音開き状の２つの蓋とから成る箱の前記２つの蓋の閉じ状態で前記蓋をロックするロック位置と前記ロック位置から外れて前記蓋を開閉することができる非ロック位置との間を枢動するように固定軸に枢支された２つの一体のロック部を有するロック部材と、前記ロック部材のロック部を前記２つの蓋に圧接するばね手段とを備え、前記ロック部材のロック位置で前記ロック部材がいずれの回転方向にも回転することがないように保持する回転止め手段を更に備え、前記ロック部材は、前記回転止め手段に干渉することなく回転するために、前記固定軸に沿って軸線方向に摺動することができるように前記固定軸に保持されていることを特徴とする箱蓋ロック装置を提供することにある。
【００１３】
本発明の上記課題解決手段において、前記回転止め手段は、前記ロック部材のロック位置で前記ロック部材のロック部の両側又は係止孔に係止して前記ロック部材がロック位置から外れるのを防止するように前記蓋に設けられたストッパー部材から成っている形態とすることができる。
【００１４】
本発明の上記課題解決手段において、前記回転止め手段は、前記ロック部材のロック位置で前記蓋の蓋係止部に係止して前記ロック部材のいずれの方向にも回転することがないように前記ロック部材に設けられたストッパー部材から成っている形態とすることができる。
【００１５】
本発明の上記課題解決手段において、前記ストッパー部材が前記蓋に設けられている場合には、前記ロック部材が前記ストッパー部材を越えて回転することができるように、前記ロック部材は、前記固定軸に沿って軸線方向に摺動し、また前記ストッパー部材が前記ロック部材に設けられている場合には、前記ストッパー部材が前記蓋を越えて回転することができるように、前記ロック部材は軸線方向に摺動する。
【発明の効果】
【００１６】
本発明によれば、ロック部材は、蓋ロック位置でそのいずれの方向への回転を阻止する回転止め手段を有するので、箱に大きな外力が付与されてもロック部材が不本意にロック位置から外れることがなく、蓋の閉状態を安全にロックすることができる。
【００１７】
また、本発明によれば、箱が観音開き状の２つの蓋を有する場合には、これらの蓋を１つのロック部材で閉状態にロックすることができ、蓋毎にロック手段を設ける場合に比べて構造が簡単である上に、１つの操作で２つの蓋を同時にロックすることができるので、操作も簡単となる。
【図面の簡単な説明】
【００１８】
【図１】本発明の実施形態による箱蓋ロック装置を備えた２つの蓋付き鉄道車両用集塵機箱の正面図である。
【図２】図１の集塵機箱の下面図である。
【図３】一部を縦断した図１の集塵機箱の右側面図である。
【図４】図１の集塵機箱の上面図である。
【図５】本発明に用いられるロック部材とばね手段とを示し、同図（Ａ）は、その一部を断面にした正面図、同図（Ｂ）は、その下面図である。
【図６】図５のロック部材を示し、同図（Ａ）は、その正面図、同図（Ｂ）は、その下面図である。
【図７】図１の箱蓋ロック装置の動作を順次に示す動作説明図である。
【図８】同図（Ａ）は、図１の箱蓋ロック装置の蓋開放状態の下面図、同図（Ｂ）は、蓋を閉じたが、まだロックしていない状態の下面図、同図（Ｃ）は、蓋をロックした状態の下面図である。
【図９】ストッパー部材を変形した本発明の２つの異なる他の実施の形態による箱蓋ロック装置の要部の拡大断面図である。
【図１０】従来技術の箱蓋ロック装置の一部を断面にした正面図である。
【発明を実施するための形態】
【００１９】
本発明の１つの実施の形態を図面を参照して説明すると、図１乃至図４は、本発明を鉄道車両の床下に搭載された集塵機の箱１０に適用した箱蓋ロック装置２０を示している。箱１０は、箱本体１０Ｂとこの箱本体１０Ｂの開口部を開閉するように箱本体１０Ｂに枢支された観音開き状の左右の２つの蓋１２Ｌ、１２Ｒとから成っている。図示の形態では、開口部は、箱本体１０Ｂの下側にあり、従って、蓋１２Ｌ、１２Ｒは、下向きに枢動して開くようになっているが、本発明の装置は、上向き又は横向きに開く蓋にも同様に適用することができる。
【００２０】
本発明の実施の形態による箱蓋ロック装置２０は、蓋１２Ｌ、１２Ｒの閉じた状態で蓋１２Ｌ、１２Ｒをロックするロック位置ＬＰ（図８（C）参照）とこのロック位置ＬＰから外れて蓋１２Ｌ、１２Ｒを開閉することができる非ロック（開放）位置ＮＰ（図８（Ａ）参照）との間を枢動するように固定軸４０に枢支されたロック部材３０と、このロック部材３０を蓋１２Ｌ、１２Ｒに圧接するばね手段５０とを備えている。
【００２１】
本発明の箱蓋ロック装置２０は、ロック部材３０のロック位置ＬＰ（図７（Ｅ）及び図８（Ｃ）参照）でこのロック部材３０がいずれの回転方向にも回転することがないように保持する回転止め手段６０を更に備え、ロック部材３０は、回転止め手段６０に干渉することなくロック位置ＬＰと非ロック位置ＮＰとの間を回転するために、固定軸４０に沿って軸線方向に摺動することができるように固定軸４０に保持されている。
【００２２】
固定軸４０は、蓋１２Ｌ、１２Ｒの間にある箱本体１０Ｂの隔壁１０Ｗを貫通してその上下に螺合するナット４２乃至４４によってこの隔壁に１０Ｗに固定されている。
【００２３】
ロック部材３０は、図示の形態では、観音開き状の左右の２つの蓋１２Ｌ、１２Ｒに同時に係合したり、これらの蓋１２Ｌ、１２Ｒから同時に外れたりするようにするために、固定軸４０の径方向でその反対方向（左右方向）に延びるように一体に形成された２つのロック部（ロック片）３２Ｌ、３２Ｒから成っている。また、このロック部材３０は、このロック部材３０をばね手段５０に抗して固定軸４０に沿って引っ張るために、ロック部３２Ｌ、３２Ｒから固定軸４０の軸線方向に間隔をあけてロック部３２Ｌ、３２Ｒに平行に一体に形成されたハンドル３４Ｌ、３４Ｒを備えている。図５（Ａ）から解るように、ロック部材３０は、固定軸４０に同心状の筒部３０Ｃを含んでおり、その上端には固定軸４０が緩く貫通する貫通孔３０ＣＨを有するフランジ３０ＣＦが設けられており、下端は開口している。ロック部３２Ｌ、３２Ｒ及びハンドル３４Ｌ、３４Ｒは、筒部３０Ｃに一体に形成されている。
【００２４】
ばね手段５０は、図５（Ａ）から解るように、固定軸４０とロック部材３０の筒部３０Ｃとの間に巻き付けられた伸長ばね５２から成っており、このばね５２の上端は、筒部３０Ｃのフランジ３０ＣＦに係合し、ばね５２の下端は、固定軸４０の下端に取り付けられたばね受け５２Ｒに係合して通常では、ロック部材３０を筒部３０Ｃのフランジ３０ＣＦを介して固定軸４０の軸線方向の上向きに付勢し、これによって、ロック部材３０のロック位置でロック部３２Ｌ、３２Ｒを蓋１２Ｌ、１２Ｒに圧接している。
【００２５】
回転止め手段６０は、図示の形態では、ロック部材３０のロック位置ＬＰ（図８（Ｃ）参照）でロック部材３０のロック部３２Ｌ、３２Ｒの両側に係止してロック部材３０がロック位置ＬＰから外れるのを防止するように蓋１２Ｌ、１２Ｒに設けられた左右２対のストッパー部材６２Ｌ、６２Ｒから成っている。
【００２６】
図示の形態では、ストッパー部材６２Ｌ、６２Ｒは、ロック部（ロック片）３２Ｌ、３２Ｒの厚みにほぼ相応するかそれより若干大きい高さを有する突起６２Ｌ１，６２Ｌ２及び６２Ｒ１、６２Ｒ２の形態であるが、ピンその他任意の形態とすることができる。なお、これらの突起６２Ｌ１，６２Ｌ２、６２Ｒ１，６２Ｒ２の高さは、任意に設定することができるが、高さが小さすぎると、箱１０に大きな外力が加わった場合、ロック部材３０のロック部３２Ｌ、３２Ｒが突起を越えてロックが不本意に外れる恐れがあり、また高さが大きすぎると、ロック部材３０を回転して蓋１２Ｌ、１２Ｒをロックしたり蓋１２Ｌ、１２Ｒを開放したりする場合に、ロック部材３０を固定軸４０の軸線方向に大きく移動することが必要となるので、ロックが不本意に外れるのを回避することができる程度の適宜の高さに設定するのが好ましい。
【００２７】
次に、本発明の箱蓋ロック装置２０の使用状態を図７、図８を参照して説明すると、図７（Ａ）は、蓋１２Ｌ、１２Ｒが下向きに開いてロック部材３０が非ロック位置ＮＰにある状態を示している。この状態ではロック部材３０は、図８（Ａ）に示すように、そのロック部３２Ｌ、３２Ｒが蓋１２Ｌ、１２Ｒの枢支部の中間であって蓋１２Ｌ、１２Ｒの幅方向に平行に延びるように位置している。
【００２８】
この状態から蓋１２Ｌ、１２Ｒを閉じると、図７（Ｂ）及び図８（Ｂ）に示すように、蓋１２Ｌ、１２Ｒの相対する端面の間にロック部材３０が位置するような配置となる。従って、図７（Ｃ）（Ｄ）に示すように、ハンドル３４Ｌ、３４Ｒを掴んでロック部材３０を下から見て左方向（右方向であってもよい）に９０°回転してロック部材３０のロック部３２Ｌ、３２Ｒを蓋１２Ｌ、１２Ｒの下方であって回転止め手段６０のストッパー部材６２Ｌ、６２Ｒの突起６２Ｌ１、６２Ｒ１と６２Ｌ２、６２Ｒ２との間に位置させる。
【００２９】
この状態で図７（Ｅ）に示すように、ハンドル３４Ｌ、３４Ｒから手を離すと、ばね手段５０の伸長ばね５２によってロック部材３０のロック部３２Ｌ、３２Ｒがストッパー部材６２Ｌ、６２Ｒの突起６２Ｌ１、６２Ｒ１と６２Ｌ２、６２Ｒ２との間に係入するように蓋１２Ｌ、１２Ｒの下面に圧接される。図８（Ｃ）は、このように、ロック部材３０がストッパー部材６２Ｌ、６２Ｒの突起６２Ｌ１，６２Ｒ１と６２Ｌ２、６２Ｒ２との間に挟まれて蓋１２Ｌ、１２Ｒに圧接されている状態を示している。
【００３０】
従って、蓋１２Ｌ、１２Ｒは、ロック部材３０のロック部３２Ｌ、３２Ｒによって箱本体１０Ｂに閉じた状態にロックされ、またロック部材３０のロック部３２Ｌ、３２Ｒは、その両側に、回転止め手段６０のストッパー部材６２Ｌ、６２Ｒの突起６２Ｌ１，６２Ｌ２及び６２Ｒ１、６２Ｒ２があるため、ロック部材３０が振動等の大きな外力を受けても不本意に変位して蓋１２Ｌ、１２Ｒのロックを外すことがない。
【００３１】
蓋１２Ｌ，１２Ｒのロックを外す場合には、図７（Ａ）乃至（Ｅ）の逆の順序で操作すればよい。即ち、図７（Ｅ）及び図８（Ｃ）の状態からハンドル３４Ｌ、３４Ｒを掴んでばね手段５０に抗して下方に引っ張った状態でロック部材３０を蓋１２Ｌ、１２Ｒから外れるように、右方向（又は左方向）に９０°回転し（図７（Ｄ）、（Ｃ）参照）、ハンドル３４Ｌ、３４Ｒから手を離すと、ロック部材３０がばね手段５０によって元の上昇位置に戻る（図７（Ｂ）参照）。従って、蓋１２Ｌ、１２Ｒは、ロックが外されて左右下方に開くことができる（図７（Ａ）参照）。
【００３２】
回転止め手段６０を変形した本発明の他の実施の形態が図９に示されており、このうち、図９（Ａ）の実施の形態では、回転止め手段６０のストッパー部材６２Ｌ、６２Ｒは、蓋１２Ｌ、１２Ｒ側ではなく、ロック部材３０側に設けられている。更に詳細に述べると、ストッパー部材６０Ｌ、６０Ｒは、ロック部材３０のロック部（ロック片）３２Ｌ、３２Ｒの上面に設けられた突起６４Ｌ、６４Ｒから成っており、また蓋１２Ｌ、１２Ｒは、ロック部材３０のロック位置でストッパー部材６０Ｌ、６０Ｒの突起６２Ｌ、６２Ｒが係入してロック部材３０の回転を止める係入孔６４ＬＨ、６４ＲＨの如き蓋係止部６４Ｈを有する。ストッパー部材６０Ｌ、６０Ｒの位置を除いて他の構造は、図１乃至図８の実施の形態の構造と同じである。
【００３３】
この実施の形態でも、ロック部材３０は、ハンドル３４Ｌ、３４Ｒをばね手段５０に抗して引き下げつつ固定軸４０を中心に回転してロックしたりロックを外したりするが、ロック部材３０のロック位置ではロック部材３０のロック部３２Ｌ、３２Ｒに設けられた突起６４Ｌ、６４Ｒが蓋１２Ｌ、１２Ｒの対応する蓋係止部１２Ｈに係入してロック部材３０が回転止めされる。なお、理解することができると思うが、この実施の形態では、突起６２Ｌ、６２Ｒは、それぞれ左右それぞれ１づつである。
【００３４】
また、図９（Ｂ）の実施の形態では、回転止め手段６０のストッパー部材６４Ｌ、６４Ｒは、蓋１２Ｌ、１２Ｒ側に設けられている。更に詳細に述べると、ストッパー部材６０Ｌ、６０Ｒは、ロック部材３０のロック部（ロック片）３２Ｌ、３２Ｒに設けられた係入孔６４ＬＨ、６４ＲＨに係入する突起６４Ｌ、６４Ｒから成っており、また蓋１２Ｌ、１２Ｒは、ロック部材３０のロック位置でストッパー部材６０Ｌ、６０Ｒの突起６４Ｌ、６４Ｒがロック部材３０のロック部３２Ｌ、３２Ｒの係入孔６４ＬＨ、６４ＲＨに係入してロック部材３０を回転止めしている。この実施の形態は、ストッパー部材６０が蓋側に設けられている点で図１乃至図８と同じであるが、ストッパー部材６０がロック部材３０のロック部３２Ｌ、３２Ｒの両側ではなく、ロック部３２Ｌ、３２Ｒの係入孔６４ＨＬ、６４ＲＨに係入している点で異なっている。
【００３５】
上記の実施の形態では、蓋１２Ｌ、１２Ｒが下向きに開閉するようになっているが、既に述べたように、上向き又は横向きに開閉する場合にも本発明を同様に適用することができる。
【００３６】
また、上記の実施の形態では、２つの蓋１２Ｌ、１２Ｒが相対して設けられていてこれらの蓋を一体のロック部材３０で同時にロックしたり、ロックを外したりするようにしたが、１つの蓋をロックしたり、」ロックを外したりするようにしてもよい。この場合には、ロック部材３０の一方のロック部３２Ｌ又は３２Ｒが省略されるが、ハンドル３２Ｌ、３２Ｒは、作業性を考慮してそのまま設けてもよい。
【産業上の利用可能性】
【００３７】
本発明によれば、ロック部材は、蓋のロック位置でそのいずれの方向への回転も阻止されるので、箱に大きな外力が付与されてもロック部材が不本意にロック位置から外れることがなく、蓋の閉状態を安全にロックすることができ、また、箱が２つの蓋を有する場合には、これらの蓋を１つの一体型のロック部材で閉状態にロックすることができ、蓋毎にロック手段を設ける場合に比べて構造が簡単である上に、１つの操作で２つの蓋を同時にロックすることができるので、操作も簡単となり、高い産業上の利用性を有する。
【符号の説明】
【００３８】
１０  集塵機の箱
１０Ｗ  隔壁
１０Ｂ  箱本体
１２Ｌ、１２Ｒ  蓋
２０  箱蓋ロック装置
３０  ロック部材
３０Ｃ  筒部
３０ＣＦ  フランジ
３０ＣＨ  貫通孔
３２Ｌ、３２Ｒ  ２つのロック部（ロック片）
３４Ｌ、３４Ｒ  ハンドル
４０  固定軸
４２乃至４４  ナット
５０  ばね手段
５２  伸長ばね
５２Ｒ  ばね受け  
６０  回転止め手段
６２Ｌ、６２Ｒ  ストッパー部材
６２Ｌ１、６２Ｌ２、６２Ｒ１、６２Ｒ２  突起
６４Ｌ、６４Ｒ  突起
６６ＬＨ、６４ＲＨ  係入孔
ＬＰ  ロック部材３０のロック位置
ＮＰ  ロック部材３０の非ロック（開放）位置
【図１】
2019093824.tif 000003
【図２】
2019093824.tif 000004
【図３】
2019093824.tif 000005
【図４】
2019093824.tif 000006
【図５】
2019093824.tif 000007
【図６】
2019093824.tif 000008
【図７】
2019093824.tif 000009
【図８】
2019093824.tif 000010
【図９】
2019093824.tif 000011
【図１０】
2019093824.tif 000012